(57)【要約】【課題】ロックオン機構に関する操作が行い易く、ロックオン機構作動時の意図しない移動が防止されるベルトサンダを提供する。【解決手段】ベルトサンダ１は、作業者が把持可能であるグリップ１６と、サンディングベルトＢを駆動するためのブラシレスモータ３と、ブラシレスモータ３に係るオン操作が可能であり、且つ当該オン操作の維持が可能であるスイッチレバー９０及びロックオン部１００と、ブラシレスモータ３に係るオン操作が可能であるロックオフ部１１０と、を備えている。ブラシレスモータ３は、スイッチレバー９０及びロックオフ部１１０の双方のオン操作により回転される。ロックオフ部１１０は、グリップ１６を把持する手によって操作可能である位置に配置されている。【選択図】図３
2020001131.tif 000002
【特許請求の範囲】
【請求項１】
作業者が把持可能である把持部と、
サンディングベルトを駆動するための電動モータと、
前記電動モータに係るオン操作が可能であり、且つ当該オン操作の維持が可能である第１操作部と、
前記電動モータに係るオン操作が可能である第２操作部と、
を備えており、
前記電動モータは、前記第１操作部及び前記第２操作部の双方のオン操作により回転され、
前記第２操作部は、前記把持部を把持する手によって操作可能である位置に配置されている
ことを特徴とするベルトサンダ。
【請求項２】
前記第２操作部のオフ操作は、前記把持部から手を離すことでなされる
ことを特徴とする請求項１に記載のベルトサンダ。
【請求項３】
前記第２操作部は、前記把持部における作業者側の面に配置されており、
前記第２操作部のオン操作は、押し操作であり、
前記第２操作部のオフ操作は、前記押し操作の解除である
ことを特徴とする請求項２に記載のベルトサンダ。
【請求項４】
前記第１操作部は、前記把持部における作業者側の面と反対側の面に配置されており、
前記第１操作部のオン操作は、引き操作であり、
前記第１操作部のオン操作の維持は、前記引き操作の状態の維持及び解除を切替可能なロック操作部によりなされ、
前記第１操作部のオフ操作は、前記引き操作の解除である
ことを特徴とする請求項１ないしは請求項３の何れかに記載のベルトサンダ。
【請求項５】
前記第１操作部と前記第２操作部との間に、前記第１操作部及び前記第２操作部の双方をオフ操作の状態となる方向に付勢するスプリングが介装されている
ことを特徴とする請求項１ないしは請求項４の何れかに記載のベルトサンダ。
【発明の詳細な説明】
【技術分野】
【０００１】
本発明は、ハウジングの下部に無端状のサンディングベルトを有するベルトサンダに関する。
【背景技術】
【０００２】
特開２０１４−１４８０１８号公報（特許文献１）に示されるように、サンディングベルトを駆動するモータの起動及び停止を指令するトリガ状のスイッチ操作部がハンドルの下部に設けられたベルトサンダが知られている。
かようなベルトサンダにおいて、サンディングベルトを上側とした裏返し状態で平坦面上で静止させて使用するため、スイッチ操作部の操作を継続せずにモータの起動指令を継続するロックオン機構が設けられることがある。
【先行技術文献】
【特許文献】
【０００３】
【特許文献１】特開２０１４−１４８０１８号公報
【発明の概要】
【発明が解決しようとする課題】
【０００４】
ロックオン機構付きのベルトサンダでは、ロックオン機構が作動した状態で作業者がサンディングベルトを下方に向けてベルトサンダから手を離すと、サンディングベルトの動きによってベルトサンダが意図せず移動してしまう可能性がある。
そこで、本発明の主な目的は、ロックオン機構に関する操作が行い易いベルトサンダを提供することである。
又、本発明の別の主な目的は、ロックオン機構作動時の意図しない移動が防止されるベルトサンダを提供することである。
【課題を解決するための手段】
【０００５】
上記目的を達成するために、請求項１に記載の発明は、作業者が把持可能である把持部と、サンディングベルトを駆動するための電動モータと、前記電動モータに係るオン操作が可能であり、且つ当該オン操作の維持が可能である第１操作部と、前記電動モータに係るオン操作が可能である第２操作部と、を備えており、前記電動モータは、前記第１操作部及び前記第２操作部の双方のオン操作により回転され、前記第２操作部は、前記把持部を把持する手によって操作可能である位置に配置されていることを特徴とするものである。
請求項２に記載の発明は、上記発明において、前記第２操作部のオフ操作は、前記把持部から手を離すことでなされることを特徴とするものである。
請求項３に記載の発明は、上記発明において、前記第２操作部は、前記把持部における作業者側の面に配置されており、前記第２操作部のオン操作は、押し操作であり、前記第２操作部のオフ操作は、前記押し操作の解除であることを特徴とするものである。
請求項４に記載の発明は、上記発明において、前記第１操作部は、前記把持部における作業者側の面と反対側の面に配置されており、前記第１操作部のオン操作は、引き操作であり、前記第１操作部のオン操作の維持は、前記引き操作の状態の維持及び解除を切替可能なロック操作部によりなされ、前記第１操作部のオフ操作は、前記引き操作の解除であることを特徴とするものである。
請求項５に記載の発明は、上記発明において、前記第１操作部と前記第２操作部との間に、前記第１操作部及び前記第２操作部の双方をオフ操作の状態となる方向に付勢するスプリングが介装されていることを特徴とするものである。
【発明の効果】
【０００６】
本発明の主な効果は、ロックオン機構に関する操作が行い易いベルトサンダが提供されることである。
又、本発明の別の主な効果は、ロックオン機構作動時の意図しない移動が防止されるベルトサンダが提供されることである。
【図面の簡単な説明】
【０００７】
【図１】本発明に係るサンダの斜視図である。
【図２】図１の上面図である。
【図３】図１の開蓋右側面図である。
【図４】（ａ）はスイッチレバーが押し込まれた際の図３の中央部拡大図であり、（ｂ）はスイッチレバー及びロックオフレバーが押し込まれた際の（ａ）同様図である。
【図５】（ａ）は図３の中央部に係る中央縦断面図であり、（ｂ）は（ａ）のＩ−Ｉ断面図である。
【図６】（ａ）はスイッチレバー及びロックオフレバーが押し込まれた際の図５（ａ）同様図であり、（ｂ）は（ａ）のＩＩ−ＩＩ断面図である。
【図７】ロックオフレバーが更に押し込まれた際の図５（ａ）同様図である。
【発明を実施するための形態】
【０００８】
以下、本発明の実施の形態及びその変更例が、適宜図面に基づいて説明される。
当該形態及び変更例における前後上下左右は、説明の便宜上定めたものであり、作業の状況及び移動する部材の状態の少なくとも一方等により変化することがある。
【０００９】
図１は、当該形態に係るベルトサンダ１の斜視図である。図２は、ベルトサンダ１の上面図（図の右がベルトサンダ１の前で図の上がベルトサンダ１の左）である。図３は、ベルトサンダ１の開蓋右側面図（図の右がベルトサンダ１の前で図の上がベルトサンダ１の上）である。
ベルトサンダ１は、ハウジング２と、ブラシレスモータ３と、その動力を伝達する動力伝達部（図示略）と、サンディングベルトＢを駆動するベルト駆動部６と、を備えている。
【００１０】
ハウジング２は、本体ハウジング１０と、横ハウジング１２と、側面カバー１４と、を有する。
本体ハウジング１０は、上部中央において、電動モータであるブラシレスモータ３を保持しており、下部において、ベルト駆動部６を、その下端部の一部が露出する状態で保持している。本体ハウジング１０の上後部であって、ブラシレスモータ３の後方に位置する部分は、ベルト駆動部６と間隔を置いた状態で前後方向に延びるグリップ１６（把持部）の外郭となっている。本体ハウジング１０の上前部であって、ブラシレスモータ３の前方に位置する部分は、ベルト駆動部６と間隔を置いた状態で前後方向に延びる前グリップ１８の外郭となっている。グリップ１６の前半部（後半部）及び前グリップ１８は、それぞれ片手で包める程度の大きさである。本体ハウジング１０の後端部は、グリップ１６後端部の外郭と、ベルト駆動部６後端部の外郭をつなぐように上下方向に延びている。本体ハウジング１０の後端部には、電源となるバッテリパック２０について端子部（図示略）を前方に向けた状態で上方から装着可能なバッテリ装着部２２が形成されている。本体ハウジング１０は、互いに半割である左本体ハウジング１０Ｌと右本体ハウジング１０Ｒとがネジ止めされることで形成される。
横ハウジング１２は、動力伝達部を保持する。側面カバー１４は、動力伝達部を覆う。横ハウジング１２及び側面カバー１４は、左本体ハウジング１０Ｌの左側面にネジ止めされる。
【００１１】
本体ハウジング１０及びこれに保持されるブラシレスモータ３、動力伝達部、ベルト駆動部６等の部材、並びに横ハウジング１２、側面カバー１４及びこれに保持される部材が、ベルトサンダ１の本体部２４を構成する。
バッテリ装着部２２に装着されたバッテリパック２０の上端は、本体部２４の上端面より上方には突出しない。
【００１２】
ブラシレスモータ３は、筒状のステータ３０と、ステータ３０を貫通するロータ３２とを有する（インナロータ型）。ロータ３２の軸心に配置されたモータ軸３４は、左右方向を向いている。
本体ハウジング１０内であって、ブラシレスモータ３下部の前方には、ブラシレスモータ３の回転状態等を制御するコントローラ３６が保持されている。コントローラ３６は、ブラシレスモータ３及びバッテリ装着部２２と電気的に接続されている。
コントローラ３６は、上面視四角形状の制御回路基板（図示略）を有している。当該制御回路基板は、ロータ３２の回転位置を検出するセンサを有するセンサ回路基板（図示略）と電気的に接続されている。当該制御回路基板には、当該センサ回路基板で検知されたロータ３２の回転位置情報に基づいて制御信号を送信するマイコンを含む制御回路と、この制御回路から受信した制御信号に基づいてブラシレスモータ３の電流をスイッチングするＦＥＴを含む駆動回路と、バッテリパック２０の状態の検出結果に応じて過放電又は過電流状態とならないようにブラシレスモータ３への電力供給を遮断するオートストップ回路と、が搭載されている。
【００１３】
又、本体ハウジング１０内であって、ブラシレスモータ３の後方には、第１スイッチ４０が保持されている。第１スイッチ４０は、第１スイッチ本体部４２の上部から上方に上下動可能に突出する円柱状のプランジャ４４が上方に移動して、プランジャ４４の露出部分の長さが所定閾値を超えるとオフに切り替わり、プランジャ４４が下方に移動して、プランジャ４４の露出部分の長さが所定閾値以下になるとオンに切り替わる。第１スイッチ４０は、コントローラ３６と電気的に接続されている。
更に、本体ハウジング１０内であって、グリップ１６の後部内には、第２スイッチ５０が保持されている。第２スイッチ５０は、第２スイッチ本体部５２の前下部から前方へ下部を支点として前後動可能にせり出すアクチュエータ５４が後方に移動して、アクチュエータ５４の第２スイッチ本体部５２前面に対する角度が所定閾値未満になるとオフに切り替わり、アクチュエータ５４が前方に移動して、アクチュエータ５４の第２スイッチ本体部５２前面に対する角度が所定閾値以上になるとオンに切り替わる。第２スイッチ５０は、コントローラ３６と電気的に接続されている。
コントローラ３６は、第１スイッチ４０及び第２スイッチ５０の双方がオンであると、バッテリ装着部２２を介して得られるバッテリパック２０の電力をブラシレスモータ３に供給して、ブラシレスモータ３の作動を許容する（ブラシレスモータ３のオンへの切替）。
他方、コントローラ３６は、第１スイッチ４０及び第２スイッチ５０の少なくとも一方がオフであると、ブラシレスモータ３への給電を行わず、ブラシレスモータ３を作動させない（ブラシレスモータ３のオフへの切替）。
【００１４】
更に、前グリップ１８には、右端部が右側面側へ露出する回転数調整ダイヤル５６が設けられる。
回転数調整ダイヤル５６は、コントローラ３６と電気的に接続されている。コントローラ３６は、回転数調整ダイヤル５６の姿勢（回転位置）に応じ、ブラシレスモータ３の回転数を設定する。
尚、回転数調整ダイヤル５６は、省略されても良い。
【００１５】
横ハウジング１２に保持される動力伝達部は、モータ軸３６の回転力をベルト駆動部６の駆動ローラ６０に伝達するものである。
動力伝達部は、ここでは、横ハウジング１２内に突出したモータ軸３６の左端部と一体のプーリと、駆動ローラ６０に対しギヤ（減速機構）を介してつながるプーリ付き中間軸とに掛けられた無端状のシンクロベルトを主要な要素とするものである。
【００１６】
ベルト駆動部６は、左右に延びる状態で後部に配置された円筒状の駆動ローラ６０と、これに平行な状態で前部に配置された円筒状の従動ローラ６２と、これらをそれぞれ軸周りで回転可能に支持する支持枠６４と、を有する。
駆動ローラ６０は、動力伝達部からの回転力により、図３の矢印Ｃの方向に回転する。
駆動ローラ６０と従動ローラ６２とには、サンディングベルトＢが張られる。
支持枠６４の下面には、サンディングベルトＢを被研磨材側へ押圧するプレート６６が設けられている。
【００１７】
従動ローラ６２内には、中心軸が共通である状態で棒状の前ローラ軸７０が通されている。前ローラ軸７０は、前部に上面視“Ｕ”字状の支持部７２ａを有する軸フレーム７２の、当該支持部７２ａの間に支持される。
軸フレーム７２の後部は、支持部７２ａの後右端部から後方に突出するアーム部７２ｂとなっている。アーム部７２ｂは、支持枠６４に、前後移動可能に支持されている。アーム部７２ｂの後端部は、支持枠６４の右面から露出した操作レバー部７２ｃとなっている。支持部７２ａは、操作レバー部７２ｃの操作により、前進位置へ付勢される状態と、前後フリーとされる状態とに切り替えられる。
支持部７２ａが前後フリー状態とされると、従動ローラ６２が前後フリー状態となり、サンディングベルトＢの着脱が可能となる。
他方、サンディングベルトＢが装着された状態で、支持部７２ａが前進位置へ付勢される状態に切り替えられると、従動ローラ６２が前進位置へ付勢され、サンディングベルトＢが張られる。
本体ハウジング１０の左側面には、サンディングベルトＢの左右方向の横ずれを規制する調整つまみ７４が設けられている。
【００１８】
又、駆動ローラ６０の下方には、左右方向に延びる集塵口８０が開口している。
本体ハウジング１０内には、集塵口８０と連通し、駆動ローラ６０の後方から上方へ回り込み、更に左方へ向かい、横ハウジング１２の集塵路（終端以外図示略）の始端に至る案内路８２が形成されている。当該集塵路の終端は、横ハウジング１２の後面上部において後方に突出するように形成された排出筒８４である。
【００１９】
集塵口８０の後方且つバッテリ装着部２２の前方における、本体ハウジング１０の右側面には、無線通信アダプタ挿入部８６が形成されている。
無線通信アダプタ挿入部８６は、本体ハウジング１０の他の右側面の部分に対し左方へ箱状に凹むように形成されており、無線通信アダプタ８８を差し込み可能である。差し込んだ場合、無線通信アダプタ８８は、コントローラ３６に搭載された無線通信用コントローラ（図示略）と電気的に接続される。
無線通信アダプタ８８は、付帯設備としての集塵機（図示略）との間で無線通信を行う。無線通信によって、集塵機の起動動作、停止動作が、ベルトサンダ１の起動動作、停止動作と連動する。
集塵機のホースは、排出筒８４に接続される。
予め、無線通信アダプタ８８と、集塵機に取り付けられた集塵機側無線通信アダプタとの間において、無線通信可能とするための関連付け（ペアリング）が行われる。ペアリングは、作業者が、集塵機側無線通信アダプタのボタンを押し、所定時間内に無線通信アダプタ８８のボタンを操作することでなされる。
ペアリングが完了した状態でブラシレスモータ３がオンとなるようにベルトサンダ１が起動すると、その起動を示す起動情報が無線通信アダプタ８８から集塵機に送信され、集塵機側無線通信アダプタによる当該起動情報の受信に基づいて集塵機が自動的に起動する。無線通信状態は、無線通信アダプタ８８に設けられたランプの点灯状態によって、作業者に知らされる。
【００２０】
図４ないしは図７にも示されるように、第１スイッチ４０のプランジャ４４の上側には、シーソー状のスイッチレバー９０が設けられている。スイッチレバー９０は、グリップ１６の下面、即ちグリップ１６における作業者側の面と反対側の面に配置されている。
スイッチレバー９０は、中央部において左右方向に延びる円筒状に形成されたボス部９０ａと、ボス部９０ａより後側においてトリガ状に形成されたトリガ部９０ｂと、ボス部９０ａの前側において左右に並びそれぞれ上方に突出するように形成された一対のリブ９０ｃと、リブ９０ｃの前側に形成された、プランジャ４４の上端部に接触する作用部９０ｄと、を有する。
ボス部９０ａ内には、本体ハウジング１０の内面から左右方向に突出した凸部９２が入れられる。スイッチレバー９０は、凸部９２の周りで揺動可能である。
トリガ部９０ｂは、グリップ１６の前下部に形成された前後方向に延びる開口部から露出可能である。スイッチレバー９０は、トリガ部９０ｂの後上部において後方に突出するように形成された掛止部９０ｅが当該開口部の縁に掛かる最大突出姿勢から（図４（ａ）のＰ１、図５（ａ）参照）、トリガ部９０ｂの上面が本体ハウジング１０の内面から左右方向にそれぞれ突出した前突起９４及び後突起９６に当たる埋没姿勢まで（図４（ｂ）、図６（ａ）、図７参照）、揺動可能である。
作用部９０ｄは、トリガ部９０ｂの引き込みに基づくスイッチレバー９０の揺動により下方に移動し、プランジャ４４を押して第１スイッチ４０をオンに切り替える。
ボス部９０ａの外側には、弾性体（スプリング）であるトーションスプリング１０８が設けられている。トーションスプリング１０８は、弾性を主に発揮するコイル状のコイル部１０８ａと、コイル部１０８ａから後方に延びるアーム部１０８ｂとを有しており、コイル部１０８ａがスイッチレバー９０のボス部９０ａの外側に配置される。トーションスプリング１０８は、スイッチレバー９０を、最大突出姿勢側に付勢する。尚、第１スイッチ４０のプランジャ４４が上方に付勢されており、プランジャ４４も、スイッチレバー９０を最大突出姿勢側に付勢する。かようなプランジャ４４の付勢は、省略されても良い。
【００２１】
一対のリブ９０ｃの上側には、ロックオン部１００が設けられている。
ロックオン部１００は、左右方向に延びるロックオンボタン１０２と、弾性体であるコンプレッションスプリング１０４と、を有する。
ロック操作部としてのロックオンボタン１０２は、円柱状のロックオンボタン本体部１０２ａと、ロックオンボタン本体部１０２ａから後方に突出しており上面へ開く有底穴を有する突出部１０２ｂと、ロックオンボタン本体部１０２ａの中央部においてそれぞれ下端部から上方へ有底スリット状に凹むように左右一対設けられる凹部１０２ｃと、を有する。
ロックオンボタン本体部１０２ａの下部後面と突出部１０２ｂの下面とは、前突起９４に接触している。
突出部１０２ｂの有底穴内には、コンプレッションスプリング１０４が左右方向に延びるように配置されている。本体ハウジング１０の内面から下方に突出する上リブ１０６が、当該有底穴の開口部内に達するように延びており、コンプレッションスプリング１０４の離脱を阻止している。
ロックオンボタン１０２は、グリップ１６の前端部外郭の左右にそれぞれ設けられたロックオンボタン孔１０９を通過する状態で、本体ハウジング１０（グリップ１６外郭）において左右方向に移動可能に支持されている。コンプレッションスプリング１０４は、ロックオンボタン１０２が中央に位置するように付勢し、即ちロックオンボタン１０２の左右方向における中央がグリップ１６の左右方向における中央と合致する位置に付勢している。
【００２２】
図５（ｂ）に示されるように、ロックオンボタン１０２が中央に位置していると、スイッチレバー９０のリブ９０ｃがロックオンボタン１０２の凹部１０２ｃに入る。よって、スイッチレバー９０の揺動に際し、リブ９０ｃがロックオンボタン１０２により移動を妨げられることはなく、スイッチレバー９０は引き込み可能である。
スイッチレバー９０を所定引き込み量以上引き込むと、リブ９０ｃが凹部１０２ｃから脱する。このとき、第１スイッチ４０はオンとなっている。この状態で、ロックオンボタン１０２が押し込み操作により右に移動されると、図６（ｂ）に示されるように、リブ９０ｃがロックオンボタン本体部１０２ａにおける凹部１０２ｃの配置されない部分の前側に位置する。よって、作業者がスイッチレバー９０の引き込み操作を止め、スイッチレバー９０がプランジャ４４及びトーションスプリング１０８の各付勢力により最大突出姿勢へ復帰されようとしても、リブ９０ｃがロックオンボタン本体部１０２ａに食い止められて、スイッチレバー９０の引き込み操作状態が維持され、第１スイッチ４０のオン状態が維持される。
又、ロックオンボタン１０２が左に移動された場合の動作は、右に移動された場合の動作と同様である。
かようなスイッチレバー９０の引き込み操作状態の維持は、ロックオンボタン１０２が中央に復帰され、リブ９０ｃが凹部１０２ｃを通過可能となると、解除される。
スイッチレバー９０及びロックオン部１００（並びに第１スイッチ４０）は、ブラシレスモータ３のオン操作（スイッチレバー９０の引き込み操作）及びその維持（ロックオン状態）が可能な第１操作部の構成要素である。尚、コンプレッションスプリング１０４は、省略されても良い。
【００２３】
ロックオンボタン１０２の後方であって、グリップ１６の中央部には、ロックオフ部１１０が設けられている。
ロックオフ部１１０は、前後方向に延びているロックオフレバー１１２を備えている。ロックオフレバー１１２は、グリップ１６を把持する手によって操作可能である位置に配置されている。
ロックオフレバー１１２は、上部が露出可能である背びれ状のロックオフレバー本体部１１２ａと、ロックオフレバー本体部１１２ａの前端部において左右方向に延びるように設けられた軸孔部１１２ｂと、軸孔部１１２ｂの下側において上下に延びるように設けられた突出量規制部１１２ｃと、ロックオフレバー本体部１１２ａにおける前部より下方に張り出した後部の後下部に設けられたトーションスプリング保持部１１２ｄと、を有する。
軸孔部１１２ｂ内には、本体ハウジング１０の内面から左右方向に突出した凸部１１６が入れられる。ロックオフレバー１１２は、凸部１１６の周りで揺動可能である。
ロックオフレバー本体部１１２ａは、グリップ１６における作業者側の面である上面の中央に形成された前後方向に延びる開口部から露出可能である。ロックオフレバー１１２は、突出量規制部１１２ｃが後突起９６に当たる最大突出姿勢から（図４（ｂ）のＯ１、図５（ａ）参照）、ロックオフレバー本体部１１２ａの上面が水平となる水平姿勢を経て（図４（ｂ）のＯ２、図６（ａ）参照）、ロックオフレバー本体部１１２ａの後部下面が本体ハウジング１０の内面から上方に突出した規制突起１１８に当たる埋没姿勢まで（図４（ｂ）、図７参照）、揺動可能である。尚、最大突出姿勢のロックオフレバー１１２において、後方に突出するトーションスプリング保持部１１２ｄが、グリップ１６の外郭中央部の開口部後縁に掛かる。
トーションスプリング保持部１１２ｄには、トーションスプリング１０８のアーム部１０８ｂの後端部が保持される。トーションスプリング１０８は、スイッチレバー９０とロックオフレバー１１２との間に介装され、スイッチレバー９０に加えてロックオフレバー１１２を、最大突出姿勢側に付勢する。
【００２４】
最大突出姿勢（図５）のロックオフレバー１１２は、後方に突出したトーションスプリング保持部１１２ｄにおいて、第２スイッチ５０のアクチュエータ５４を後方に移動させ、第２スイッチ５０をオフにしている。
ロックオフレバー１１２は、最大突出姿勢から押し込まれて、水平姿勢よりも手前における所定の押し込み量に係る押し込みによりアクチュエータ５４から離れ、これによりアクチュエータ５４が前方に移動して、第２スイッチ５０がオンとなる。アクチュエータ５４は、前方に付勢されている。よって、水平姿勢（図６）及び埋没姿勢（図７）のロックオフレバー１１２は、何れも第２スイッチ５０をオンにしている。
ロックオフレバー１１２は、埋没姿勢であったとしても、埋没姿勢となっているスイッチレバー９０を避ける形状（前部に対する後部の下方への張り出し形状）となっている（図７参照）。
ロックオフ部１１０（並びに第２スイッチ５０）は、ブラシレスモータ３のオン操作（ロックオフレバー１１２の押し込み操作）が可能な第２操作部の構成要素である。
【００２５】
このようなベルトサンダ１は、例えば次のように動作する。
即ち、充電されたバッテリパック２０がバッテリ装着部２２に装着され、ロックオンボタン１０２が中央に位置した状態で、作業者がグリップ１６を握る際にスイッチレバー９０を引く（第１操作部のオン操作）と共にロックオフレバー１１２を押す（第２操作部のオン操作）と、第１スイッチ４０及び第２スイッチ５０の双方がオンとなり、コントローラ３６により、バッテリパック２０の電力がブラシレスモータ３に供給され、モータ軸３４が回転駆動される。
モータ軸３４の回転は、動力伝達部を介してベルト駆動部６に伝わり、ベルト駆動部６によりサンディングベルトＢが駆動される。
かように回転されるサンディングベルトＢが、本体ハウジング１０上部のグリップ１６（更には前グリップ１８）の把持により、被研磨材に対し押し付けられるようにし又移動されるようにすることで、被研磨材の表面に研磨等の作業が施される。
スイッチレバー９０の引き込み解除による所定突出量以上の突出位置への復帰、及びロックオフレバー１１２の押下解除による所定突出量以上の突出位置への復帰の少なくとも一方がなされると、第１スイッチ４０及び第２スイッチ５０の少なくとも一方がオフとなり、コントローラ３６により、バッテリパック２０のブラシレスモータ３への給電が停止され、モータ軸３４の回転が停止して、サンディングベルトＢの駆動が停止される。
かように、ロックオン部１００（第１スイッチ４０）及びロックオフ部１１０（第２スイッチ５０）は、ブラシレスモータ３に係る二重のスイッチとなっている。
【００２６】
又、作業者が、スイッチレバー９０を引いた（オン操作）状態で、ロックオンボタン１０２を中央から左又は右へ押すと、スイッチレバー９０の引き込み状態が保持される（ロックオン状態）。
このスイッチレバー９０のロックオン状態において、ロックオフレバー１１２が押される（第２操作部のオン操作がなされる）ようにグリップ１６に手が添えられれば、サンディングベルトＢが駆動される。よって、作業者は、スイッチレバー９０の引き込み操作を継続することなく、ベルトサンダ１の押し付け及び移動等の操作を行える。
又、作業者がグリップ１６から手を離してロックオフレバー１１２の押し込みを解除すると（オフ操作）、より詳細にはグリップ１６の把持を緩め若しくは止め、あるいは中央からずらすと、ロックオフレバー１１２がトーションスプリング１０８の付勢力により所定突出量以上の突出位置へ復帰する。すると、第２スイッチ５０がオフとなり、サンディングベルトＢが停止する。よって、ロックオン部１００があるもののロックオフ部１１０がない場合における、作業者がロックオン状態時にサンディングベルトＢの回転の継続状態でグリップ１６を離して当該場合のベルトサンダが意図せず作業者から離れるように移動する事態は、ロックオフ部１１０を有するベルトサンダ１では防止される。
【００２７】
更に、ベルトサンダ１では、サンディングベルトＢを上側とした裏返し状態での平坦面上での使用が、簡単に行える（図６）。
即ち、本体部２４の最上面は本体ハウジング１０の中央部であり、その延長面は、図５（ａ）ないし図７（ａ）において模式的に一点鎖線Ｇで示されるところ、裏返し状態では、本体ハウジング１０の中央部が平坦面に接触し、平坦面の一部が図６（ａ）の一点鎖線Ｇと合致する。このとき、ロックオフレバー１１２は平坦面に押されて（第２操作部のオン操作）、自然に水平姿勢となり、第２スイッチ５０がオンとなる。よって、作業者は、裏返し状態において、最初にロックオン部１００を作動させるだけで、駆動するサンディングベルトＢによる作業を、ロックオンボタン１０２及びロックオフレバー１１２の操作を伴わずに行える。
裏返し状態では、サンディングベルトＢは被研磨材等に載っていないため、サンディングベルトＢによる意図しない移動はなされない。又、万一ベルトサンダ１が裏返し状態での作業中に更に裏返って常態に戻されたとしても、ロックオフレバー１１２が平坦面から離れることで最大突出姿勢側に復帰し（第２操作部のオフ操作）、第２スイッチ５０、コントローラ３６及びブラシレスモータ３を介してサンディングベルトＢの駆動が停止される。よって、ロックオン部１００が作動したままであっても、ロックオフ部１１０が作動して、ベルトサンダ１の意図しない移動が防止される。
【００２８】
更に、第１スイッチ４０及び第２スイッチ５０の双方がオンとなると、コントローラ３６に搭載された無線通信用コントローラにより無線通信アダプタ８８が制御され、集塵機側無線通信アダプタとの無線通信により集塵機の起動がなされる。
集塵機のエアの吸込による集塵は、次のようになされる。即ち、加工により適宜回転するサンディングベルトＢの周囲に生じた粉塵は、集塵口８０、案内路８２、集塵路を経て、排出筒８４に接続された集塵機に吸引される。
他方、第１スイッチ４０及び第２スイッチ５０の何れか一方がオフとなると、無線通信用コントローラにより制御された無線通信アダプタ８８を介して、集塵機の作動が停止される。
【００２９】
以上のベルトサンダ１では、作業者が把持可能であるグリップ１６と、サンディングベルトＢを駆動するためのブラシレスモータ３と、ブラシレスモータ３に係るオン操作が可能であり、且つ当該オン操作の維持が可能であるスイッチレバー９０及びロックオン部１００と、ブラシレスモータ３に係るオン操作が可能であるロックオフ部１１０と、を備えており、ブラシレスモータ３は、スイッチレバー９０及びロックオフ部１１０の双方のオン操作により回転され、ロックオフ部１１０は、グリップ１６を把持する手によって操作可能である位置に配置されている。
よって、作業者は、ロックオン部１００によってスイッチレバー９０のオン操作が維持されていても、グリップ１６を把持する手によって操作可能であるロックオフ部１１０でブラシレスモータ３ひいてはサンディングベルトＢを操作することができる。従って、ロックオン部１００に関する操作が行い易いベルトサンダ１が提供される。
【００３０】
又、ロックオフ部１１０のオフ操作は、グリップ１６から手を離すことでなされる。よって、ロックオン状態でグリップ１６から手を離し、ベルトサンダ１が意図せず移動してしまう事態が防止される。
更に、ロックオフ部１１０は、グリップ１６における作業者側の面である上面に配置されており、ロックオフ部１１０のオン操作は、押し操作であり、ロックオフ部１１０のオフ操作は、押し操作の解除である。よって、作業者は、ロックオフレバー１１２を押すか離すかによってブラシレスモータ３ひいてはサンディングベルトＢの駆動を切り替えることができ、操作がより一層容易になる。
又更に、スイッチレバー９０は、グリップ１６における作業者側の面と反対側の面である下面に配置されており、スイッチレバー９０のオン操作は、引き操作であり、スイッチレバー９０のオン操作の維持は、その引き操作の状態の維持及び解除を切替可能なロックオンボタン１０２によりなされ、スイッチレバー９０のオフ操作は、引き操作の解除である。よって、作業者は、スイッチレバー９０のロック及びその解除を切り替えることができ、作業内容に合わせてスイッチレバー９０の状態を切り替え可能である。
加えて、スイッチレバー９０とロックオフレバー１１２との間に、スイッチレバー９０及びロックオフレバー１１２の双方をオフ操作の状態となる方向に付勢するトーションスプリング１０８が介装されている。よって、スイッチレバー９０とロックオフレバー１１２との最大突出姿勢側への復帰に必要な付勢力が、共通のトーションスプリング１０８により付与される。
【００３１】
尚、本発明は、上記形態及び変更例に限定されず、次にそれぞれ示される更なる変更例を、適宜有するものである。
第１操作部は、スイッチレバー９０及びロックオン部１００（スイッチレバー９０に係止可能なロックオンボタン１０２を含むロックオン機構）に代えて、ボタンスイッチあるいはトグルスイッチ等とされても良い。ボタンスイッチの場合、ボタンが押される毎に、オン操作の維持とオフ操作の維持とが切り替えられても良い。トグルスイッチは、操作レバーが一方側に倒されることでオン操作が維持され、操作レバーが他方側に倒されることでオフ操作が維持されるように切り替えられても良い。
第２操作部（ロックオフ部１１０）は、二重スイッチの一方である第２スイッチ５０を切り替えるロックオフレバー１１２に代えて、例えばロックオンボタン１０２を中央に戻すアームのようなロックオフ機構とされても良い。又、第２操作部は、第１操作部と同様に、ボタンスイッチあるいはトグルスイッチ等とされても良い。
ロックオフ部１１０は、前グリップ１８、あるいはグリップ１６と前グリップ１８との間に設けられても良い。
スイッチレバー９０及びロックオフレバー１１２はトーションスプリング以外の弾性体（スプリング）により、最大突出姿勢側に付勢されても良い。又、スイッチレバー９０及びロックオフレバー１１２は、それぞれ別個の弾性体により、最大突出姿勢側に付勢されても良い。
【００３２】
シンクロベルト及びプーリがギヤに代えられたり、バッテリパック２０が装着されたベルトサンダ１においてバッテリパック２０を充電可能としたり、使い切りのバッテリパックが用いられたり、バッテリ装着部２２に代えて電源コードが設けられて商用電源に接続可能とされたり、本体ハウジング１０が左右半割ではなく一体とされたり、本体ハウジング１０が更に分割されたり、本体ハウジング１０の一部と横ハウジング１２が一体とされたりする等、各種部材の機能、配置、種類、数、材質及び設置の有無の少なくとも何れか等が適宜変更されても良い。
【符号の説明】
【００３３】
１・・ベルトサンダ、３・・ブラシレスモータ（電動モータ）、１６・・グリップ（把持部）、９０・・スイッチレバー（第１操作部）、１００・・ロックオン部（第１操作部）、１０８・・トーションスプリング（スプリング）、１１０・・ロックオフ部（第２操作部）、１１２・・ロックオフレバー（第２操作部）、Ｂ・・サンディングベルト。
【図１】
2020001131.tif 000003
【図２】
2020001131.tif 000004
【図３】
2020001131.tif 000005
【図４】
2020001131.tif 000006
【図５】
2020001131.tif 000007
【図６】
2020001131.tif 000008
【図７】
2020001131.tif 000009